(57)【要約】      （修正有）【課題】安価な構造でキャビネット薄肉化の要望に対応する。【解決手段】合成樹脂製キャビネット１におけるリアキャビネット１Ｂの表面に壁掛け金具６が複数の連結部材５により固着された薄型表示装置において、前記連結部材５が、外周面に雄ねじ部２１ａを形成した筒状ナット２１と、該筒状ナット２１にねじ込まれる連結用ビス１５とを有し、リアキャビネット１Ｂの表面適所に有底筒状ポケット２２が一体形成され、該ポケット２２が、内径ｄ１を雄ねじ部２１ａの外径Ｄよりも小さくした奥端側小径部２２ａと、内径ｄ２を雄ねじ部２１ａの外径Ｄと同一またはわずかに大きくした開口端側大径部２２ｂとに分けられ、その開口端側大径部２２ｂを通って奥端側小径部２２ａに筒状ナット２１がねじ込まれており、その筒状ナット２１に壁掛け金具６のビス挿通孔１１を通って連結用ビス１５をねじ込むようにした。【選択図】図３
2012220688.tif 000002
【特許請求の範囲】
【請求項１】
電気部品付き制御基板を取り付けた表示装置本体を内部に配置したフロントキャビネッ
トとリアキャビネットとからなる合成樹脂製キャビネットの前記リアキャビネットの表面
に壁掛け金具が複数の連結部材により固着された薄型表示装置において、前記連結部材が
、外周面に雄ねじ部を形成した筒状ナットと、該筒状ナットにねじ込まれる連結用ビスと
を有し、リアキャビネットの表面適所に有底筒状ポケットが一体形成され、該ポケットが
、内径を雄ねじ部の外径よりも小さくした奥端側小径部と、内径を雄ねじ部の外径と同一
またはわずかに大きくした開口端側大径部とに分けられ、その開口端側大径部を通って奥
端側小径部に筒状ナットがねじ込まれており、その筒状ナットに壁掛け金具のビス挿通孔
を通って連結用ビスをねじ込むようにしたことを特徴とする薄型表示装置。
【請求項２】
前記筒状ナットの先端部外周面が先すぼまりテーパ状に形成されていることを特徴とす
る請求項１に記載の薄型表示装置。
【請求項３】
前記筒状ナットのねじ孔の奥端を閉鎖する底壁部が該筒状ナットに一体形成されている
ことを特徴とする請求項１または２に記載の薄型表示装置。
【請求項４】
前記リアキャビネットの表面のポケットの開口端周縁に該ポケットの内径よりも大きい
内径の凹部が形成され、該凹部の底面に対向するフランジが筒状ナットの基端外周面に一
体形成されており、ポケット内に筒状ナットをねじ込んでフランジを凹部の底面に圧接さ
せるようにしたことを特徴とする請求項１〜３のいずれかに記載の薄型表示装置。
【請求項５】
前記フランジの凹部対向面に滑り止め溝が形成されていることを特徴とする請求項４に
記載の薄型表示装置。
【請求項６】
前記筒状ナットの基端に多角形状頭部が一体形成され、該頭部の中央に貫設した貫通孔
が筒状ナットのねじ孔より大径で該ねじ孔と同心状に形成されていることを特徴とする請
求項１〜５のいずれかに記載の薄型表示装置。
【請求項７】
前記頭部の端面にプラス状またはマイナス状の操作溝が形成されていることを特徴とす
る請求項６に記載の薄型表示装置。
【発明の詳細な説明】
【技術分野】
【０００１】
本発明は、例えば液晶テレビや液晶モニターなどの薄型表示装置に関し、特に、安価な
構造でキャビネット薄肉化の要望に対応することができるようにしたものである。
【背景技術】
【０００２】
従来、薄型表示装置の一例として図６〜図９に示すものがあり、これは壁掛け式液晶テ
レビであって、図６は水平断面図、図７は同分解斜視図、図８は同要部の拡大横断面図、
図９は同要部の分解斜視図である。
【０００３】
図６〜図９に示すように、壁掛け式液晶テレビはフロントキャビネット１Ａとリアキャ
ビネット１Ｂとからなる合成樹脂製キャビネット１を有し、該キャビネット１内のフロン
トキャビネット１Ａに液晶モジュ−ル（表示装置本体）２が配置され、該液晶モジュ−ル
２に取り付けたプリント配線基板からなる制御基板３にコンデンサや抵抗などの各種の電
気部品４が設けられ、リアキャビネット１Ｂの表面中央に複数（この例では４つ）の連結
部材５により壁掛け金具６が固着されており、該壁掛け金具６を壁面７のフック金具８に
係合させている。
【０００４】
図７に示すように、前記壁掛け金具６は、コ字状金具本体６ａと、該金具本体６ａの両
端縁から折り曲げられて側方に延びる一対の側板６ｂとを有し、金具本体６ａにフック金
具８を引っ掛けるための引っ掛け孔１０が貫設されると共に、各側板６ｂにビス挿通孔１
１が貫設されている。
【０００５】
図８及び図９に示すように、前記連結部材５は、板金からなる連結金具１３と、該連結
金具１３をリアキャビネット１Ｂに止着するための止着用ビス１４と、その連結金具１３
を壁掛け金具６に連結するための連結用ビス１５とを有し、前記連結金具１３が、リアキ
ャビネット１Ｂの裏面に当接される基端板１３ａと、該基端板１３ａの端縁から直角に折
れ曲がる中間板１３ｂと、該中間板１３ｂの端縁から折れ曲がって基端板１３ａに対して
平行する先端板１３ｃとを有し、前記基端板１３ａの中央に有底円筒状ナット１６が一体
突設されると共に、該ナット１６に対向してリアキャビネット１Ｂに連通孔１７が貫設さ
れ、前記先端板１３ｃの中央にビス挿通孔１８が貫設されると共に、該ビス挿通孔１８に
対向してリアキャビネット１Ｂの裏面にボス１９が一体突設されている。
【０００６】
壁掛け式液晶テレビの取付手順を説明すると、図８に示すように、止着用ビス１４を連
結金具１３のビス挿通孔１８を通ってボス１９の中心孔１９ａにねじ込み、連結金具１３
をリアキャビネット１Ｂの裏面に止着する。続いて、連結用ビス１５を壁掛け金具６のビ
ス挿通孔１１及びリアキャビネット１Ｂの連通孔１７を通ってナット１６にねじ込み。壁
掛け金具６をリアキャビネット１Ｂの表面中央に固着する。その後、図８に示すように、
壁掛け金具６の引っ掛け孔１０を壁面７のフック金具８に引っ掛ける。なお、関連する技
術として特許文献１に記載したものがある。
【先行技術文献】
【特許文献】
【０００７】
【特許文献１】特開２００７−２３３０１８号公報
【発明の概要】
【発明が解決しようとする課題】
【０００８】
上記従来の構成では、壁掛け金具６をリアキャビネット１Ｂに固着するために、複雑な
形状の連結金具１３と止着用ビス１４及び連結用ビス１５とを必要としており、部品点数
が多いので、コストアップになる。
【０００９】
図６に示すように、連結金具１３及び止着用ビス１４がキャビネット１内に露出してい
るから、その連結金具１３及び止着用ビス１４と電気部品４との間の安全距離αを安全基
準に基づいて十分にとる必要があり、キャビネット１の薄型化の要望に対応することがで
きない。
【００１０】
図８に示すように、壁掛け金具６とナット１６との間にリアキャビネット１Ｂが介在さ
れ、その両者間の間隔Ｍが大きいから、壁掛け金具６のリアキャビネット１Ｂに対する固
着力が弱い。
【００１１】
そこで、特許文献１に記載しているように、インサートナットをリアキャビネット１Ｂ
の連通孔にねじ込み、そのインサートナットに連結用ビス１５をねじ込むことにより、壁
掛け金具６をリアキャビネット１Ｂの表面中央に固着することが考えられるが、これでは
、部品点数が少なくなるが、インサートナットのねじ孔を通ってキャビネット１内と外気
とが連通されているので、そのインサートナットのねじ孔を通って塵埃などの異物がキャ
ビネット１内に入り込むおそれがあり、また、インサートナットがキャビネット１内に露
出されていることから、そのインサートナットと電気部品４との間の安全距離αを安全基
準に基づいて十分にとる必要があり、キャビネット１の薄型化の要望に対応することがで
きない。
【００１２】
また、リアキャビネット１Ｂの連通孔に対してインサートナットが斜めにねじ込まれる
おそれがあり、それを防ぐため、治具でガイドしてインサートナットを真っ直ぐにねじ込
むことも考えられるが、これでは、治具を用いることにより、コストアップになる。
【００１３】
本発明は、上記従来の欠点に鑑み、安価な構造で機密性に優れキャビネット薄肉化の要
望に対応することができるようにした薄型表示装置を提供することを目的としている。
【課題を解決するための手段】
【００１４】
上記目的を達成するため、請求項１に記載の発明は、電気部品付き制御基板を取り付け
た表示装置本体を内部に配置したフロントキャビネットとリアキャビネットとからなる合
成樹脂製キャビネットの前記リアキャビネットの表面に壁掛け金具が複数の連結部材によ
り固着された薄型表示装置において、前記連結部材が、外周面に雄ねじ部を形成した筒状
ナットと、該筒状ナットにねじ込まれる連結用ビスとを有し、リアキャビネットの表面適
所に有底筒状ポケットが一体形成され、該ポケットが、内径を雄ねじ部の外径よりも小さ
くした奥端側小径部と、内径を雄ねじ部の外径と同一またはわずかに大きくした開口端側
大径部とに分けられ、その開口端側大径部を通って奥端側小径部に筒状ナットがねじ込ま
れており、その筒状ナットに壁掛け金具のビス挿通孔を通って連結用ビスをねじ込むよう
にしたことを特徴としている。
【００１５】
請求項２に記載の発明は、請求項１に記載の発明において、前記筒状ナットの先端部外
周面が先すぼまりテーパ状に形成されていることを特徴としている。
【００１６】
請求項３に記載の発明は、請求項１または２に記載の発明において、前記筒状ナットの
ねじ孔の奥端を閉鎖する底壁部が該筒状ナットに一体形成されていることを特徴としてい
る。
【００１７】
請求項４に記載の発明は、請求項１〜３のいずれかに記載の発明において、前記リアキ
ャビネットの表面のポケットの開口端周縁に該ポケットの内径よりも大きい内径の凹部が
形成され、該凹部の底面に対向するフランジが筒状ナットの基端外周面に一体形成されて
おり、ポケット内に筒状ナットをねじ込んでフランジを凹部の底面に圧接させるようにし
たことを特徴としている。
【００１８】
請求項５に記載の発明は、請求項４に記載の発明において、前記フランジの凹部対向面
に滑り止め溝が形成されていることを特徴としている。
【００１９】
請求項６に記載の発明は、請求項１〜５のいずれかに記載の発明において、前記筒状ナ
ットの基端に多角形状頭部が一体形成され、該頭部の中央に貫設した貫通孔が筒状ナット
のねじ孔より大径で該ねじ孔と同心状に形成されていることを特徴としている。
【００２０】
請求項７に記載の発明は、請求項６に記載の発明において、前記頭部の端面にプラス状
またはマイナス状の操作溝が形成されていることを特徴としている。
【発明の効果】
【００２１】
請求項１に記載の発明によれば、連結部材が雄ねじ部を外周面に形成した筒状ナットと
連結用ビスとを有し、その部品点数が少ないから、コストダウンを図ることができる。
【００２２】
また、筒状ナットを有底筒状ポケットに差し込むことにより、該ポケットの開口端側大
径部をガイドにして筒状ナットがそのポケットの奥端側小径部に対して同心状に位置決め
されるから、該筒状ナットをポケットの奥端側小径部に対して所定通り真っ直ぐにねじ込
むことができ、これによって、筒状ナットに対する連結用ビスのねじ込みも所定通りに行
って、壁掛け金具をリアキャビネットに適正に固着することができる。
【００２３】
更に、有底筒状ポケットによって筒状ナットと表示装置本体の電気部品との間がシール
ドされているので、その筒状ナットと電気部品との間の安全距離を安全基準に基づいて十
分に小さくして、キャビネットの薄型化の要望に対応することができる。
【００２４】
請求項２に記載の発明によれば、筒状ナットの先すぼまりテーパ状先端部がポケットの
奥端側小径部に差し込まれることにより、該奥端側小径部に対して筒状ナットを一層同心
状に位置決めすることができる。
【００２５】
請求項３に記載の発明によれば、筒状ナットのねじ孔の奥端が底壁部で閉鎖されており
、そのねじ孔に間違えて長尺の連結用ビスをねじ込んだとしても、該連結用ビスの先端が
底壁部に当たってそれ以上ねじ込まれることがないので、その間違えた長尺の連結用ビス
で有底筒状ポケットが損傷されることがなく、その有底筒状ポケットによるシールド性を
確実に維持することができる。
【００２６】
請求項４に記載の発明によれば、筒状ナットの基端外周面に一体形成したフランジを凹
部の底面に圧接させることにより、ポケットに対する筒状ナットのねじ込みが緩まないよ
うにできる。
【００２７】
請求項５に記載の発明によれば、フランジの凹部対向面に形成した滑り止め溝により筒
状ナットのねじ込みが一層緩まないようにできる。
【００２８】
請求項６に記載の発明によれば、筒状ナットの基端に同心状に一体形成した多角形状頭
部にスパナなどの工具を係合させて、その筒状ナットのねじ込み作業を容易に行うことが
できる。
【００２９】
筒状ナットの頭部に壁掛け金具を圧接させているから、該壁掛け金具と筒状ナットのね
じ孔との間の間隔を小さくすることにより、その壁掛け金具をリアキャビネットに強固に
固着することができる。
【００３０】
請求項７に記載の発明によれば、頭部の端面に形成したプラス状またはマイナス状の操
作溝にプラスドライバーまたはマイナスドライバーを係合させて、その筒状ナットのねじ
込み作業を容易に行うことができる。
【図面の簡単な説明】
【００３１】
【図１】本発明の実施の一形態である薄型表示装置を示す水平断面図である。
【図２】同分解斜視図である。
【図３】同要部の拡大横断面図である。
【図４】同要部の分解斜視図である。
【図５】（ａ）〜（ｃ）は筒状ナットの取付手順を示す説明図、ｄ）〜（ｆ）は参考例の取付手順を示す説明図である。
【図６】従来例を示す水平断面図である。
【図７】同分解斜視図である。
【図８】同要部の拡大横断面図である。
【図９】同要部の分解斜視図である。
【発明を実施するための形態】
【００３２】
図１〜図５は本発明の実施の一例である薄型表示装置を示すものであり、これは壁掛け
式液晶テレビであって、複数（この実施の形態では４つ）の連結部材５が、筒状ナット２
１と、壁掛け金具６のビス挿通孔１１を通って筒状ナット２１にねじ込まれる連結用ビス
１５とを有し、リアキャビネット１Ｂの表面適所に複数の有底筒状ポケット２２が所定間
隔をおいて一体形成されると共に、該ポケット２２の開口端周縁にそのポケット２２の内
径よりも大きい内径の凹部２３が形成されている。上記以外の構成は図６〜図９に示す構
成とほぼ同じであるから、同一部分に同一符号を付してその説明を省略する。
【００３３】
図３及び図４に示すように、前記凹部２３は、リアキャビネット１Ｂに一体形成した周
壁部１ａと、該周壁部１ａに一体形成した底壁部１ｂとで囲まれ、また、前記ポケット２
２は、凹部２３の底壁部１ｂの中央に一体突設されてキャビネット１内に突出する円筒壁
部１ｃと、該円筒壁部１ｃに一体形成した底壁部１ｄとで囲まれており、その凹部２３及
びポケット２２がキャビネット１内から隔離されている。
【００３４】
図３及び図４に示すように、ポケット２２が、内径ｄ１を雄ねじ部２１ａの外径Ｄより
も小さくした奥端側小径部２２ａと、内径ｄ２を雄ねじ部２１ａの外径Ｄと同一またはわ
ずかに大きくした開口端側大径部２２ｂとに分けられている（ｄ１＜Ｄ≦ｄ２）。
【００３５】
図３及び図４に示すように、前記筒状ナット２１の外周面に雄ねじ部２１ａが形成され
ると共に、その先端部外周面２１ｂが先すぼまりテーパ状に形成され、該筒状ナット２１
のねじ孔２４の奥端を閉鎖する底壁部２１ｃがその筒状ナット２１に一体形成され、前記
凹部２３の底面２３ａに対向するフランジ２１ｄが筒状ナット２１の基端外周面に一体形
成され、該フランジ２１ｄの凹部対向面に滑り止め溝２５が形成され、筒状ナット２１の
基端に多角形（この実施の形態では六角形）状頭部２１ｅが一体形成され、該頭部２１ｅ
の中央に貫設した貫通孔２６がねじ孔２４よりも大径でそのねじ孔２４と同心状に形成さ
れ、該頭部２１ｅの端面にプラス状（またはマイナス状）の操作溝２７が形成され、筒状
ナット２１をポケット２２にねじ込んだときに、頭部２１ｅが凹部２３から若干の間隔ｔ
だけ外方に突出するように設定している（図３参照）。
【００３６】
図５（ｄ）〜（ｆ）は参考例であって、ポケット２２の内周面の奥端から開口端にかけ
て面一状に形成され、該ポケット２２の内径ｄ１を筒状ナット２１の雄ねじ部２１ａの外
径Ｄよりも小さく設定しており（ｄ１＜Ｄ）、図５（ｄ）（ｅ）に示すように、筒状ナッ
ト２１の先端部を上方からポケット２２に当接させ、図５（ｆ）に示すように、筒状ナッ
ト２１をポケット２２内にねじ込むときに、該ポケット２２の軸心Ｏａに対して筒状ナッ
ト２１の軸心Ｏがずれた状態で、その筒状ナット２１がポケット２２内に斜めにねじ込ま
れるおそれがある。
【００３７】
上記参考例では、斜めにねじ込まれた筒状ナット２１に対して連結用ビス１５を円滑に
ねじ込むことは難しくなると共に、壁掛け金具６の固着力も弱くなるおそれがあり、その
難点を解消するため、治具でガイドして筒状ナット２１を真っ直ぐにねじ込むことも考え
られるが、これでは、治具を用いることにより、コストアップになる。
【００３８】
これに対して、本発明における筒状ナット２１の取付手順を説明すると、図５（ａ）に
示すように、筒状ナット２１の先端部を上方からポケット２２内に挿入すると、図５（ｂ
）に示すように、ポケット２２の開口端側大径部２２ｂにより筒状ナット２１がガイドさ
れ、該筒状ナット２１の先端部がポケット２２の奥端側小径部２２ａ内に挿入され、その
ポケット２２の軸心Ｏａに対して筒状ナット２１の軸心Ｏが同心状に一致される。その後
、図５（ｃ）に示すように、スパナなどの工具を頭部２１ｅに係合させたりプラスドライ
バー（またはマイナスドライバー）を操作溝２７に係合させて筒状ナット２１をポケット
２２内にねじ込む。これにより、雄ねじ部２１ａで奥端側小径部２２ａの内周面にねじ溝
を強制的に形成し、フランジ２１ｄを凹部２３の底面２３ａに圧接させる。続いて、図３
に示すように、連結用ビス１５を壁掛け金具６のビス挿通孔１１及び頭部２１ｅの貫通孔
２６を通って筒状ナット２１のねじ孔２４にねじ込み。壁掛け金具６を頭部２１ｅに圧接
させてリアキャビネット１Ｂの表面中央に固着する。その後、図１に示すように、壁掛け
金具６の引っ掛け孔１０を壁面７のフック金具８に引っ掛ける。
【００３９】
上記構成によれば、連結部材５が、雄ねじ部２１ａを外周面に形成した筒状ナット２１
と、連結用ビス１５とを有し、その部品点数が少ないから、コストダウンを図ることがで
きる。
【００４０】
また、筒状ナット２１を有底筒状ポケット２２に差し込むことにより、該ポケット２２
の開口端側大径部２２ｂをガイドにして筒状ナット２１がそのポケット２２の奥端側小径
部２２ａに対して同心状に位置決めされるから、該筒状ナット２１をポケット２２の奥端
側小径部２２ａに対して所定通り真っ直ぐにねじ込むことができ、これによって、筒状ナ
ット２１に対する連結用ビス１５のねじ込みも所定通りに行って、壁掛け金具６をリアキ
ャビネット１Ｂに適正に固着することができる。
【００４１】
更に、有底筒状ポケット２２によって筒状ナット２１と液晶モジュ−ル２の電気部品４
との間がシールドされているので、その筒状ナット２１及び連結用ビス１５と電気部品４
との間の安全距離αを安全基準に基づいて十分に小さくして、キャビネット１の薄型化の
要望に対応することができる。
【００４２】
しかも、筒状ナット２１の先すぼまりテーパ状先端部がポケット２２の奥端側小径部２
２ａに差し込まれることにより、該奥端側小径部２２ａに対して筒状ナット２１を一層同
心状に位置決めすることができる。
【００４３】
更に、筒状ナット２１のねじ孔２４の奥端が底壁部２１ｃで閉鎖されており、そのねじ
孔２４に間違えて長尺の連結用ビス１５をねじ込んだとしても、該連結用ビス１５の先端
が底壁部２１ｃに当たってそれ以上ねじ込まれることがないので、その間違えた長尺の連
結用ビス１５で有底筒状ポケット２２が損傷されることがなく、その有底筒状ポケット２
２によるシールド性を確実に維持することができる。
【００４４】
そして、筒状ナット２１の基端外周面に一体形成したフランジ２１ｄを凹部２３の底面
２３ａに圧接させることにより、ポケット２２に対する筒状ナット２１のねじ込みが緩ま
ないようにすることができると共に、フランジ２１ｄの凹部対向面に形成した滑り止め溝
２５により筒状ナット２１のねじ込みが一層緩まないようにすることができる。
【００４５】
また更に、筒状ナット２１の基端に同心状に一体形成した多角形状頭部２１ｅにスパナ
などの工具を係合させたり、該頭部２１ｅの操作溝２７にプラスドライバー（またはマイ
ナスドライバー）を係合させて、その筒状ナット２１のねじ込み作業を容易に行うことが
できる。
【００４６】
図３に示すように、筒状ナット２１の頭部２１ｅに壁掛け金具６を圧接させているので
、該壁掛け金具６と筒状ナット２１のねじ孔２４との間の間隔ｍを小さくすることにより
、その壁掛け金具６をリアキャビネット１Ｂに強固に固着することができる。
【符号の説明】
【００４７】
１        キャビネット
１Ａ      フロントキャビネット
１Ｂ      リアキャビネット
２        液晶モジュ−ル（表示装置本体）
３        制御基板
４        電気部品
５        連結部材
６        壁掛け金具
１５      連結用ビス
２１      筒状ナット
２１ａ    筒状ナットの雄ねじ部
２１ｂ    筒状ナットの先端部外周面
２１ｃ    筒状ナットの底壁部
２１ｄ    筒状ナットのフランジ
２１ｅ    筒状ナットの頭部
２２      ポケット
２２ａ    ポケットの奥端側小径部
２２ｂ    ポケットの開口端側大径部
２３      凹部
２３ａ    凹部の底面
２４      ねじ孔
２５      滑り止め溝
２６      頭部の貫通孔
２７      操作溝
【図１】
2012220688.tif 000003
【図２】
2012220688.tif 000004
【図３】
2012220688.tif 000005
【図４】
2012220688.tif 000006
【図５】
2012220688.tif 000007
【図６】
2012220688.tif 000008
【図７】
2012220688.tif 000009
【図８】
2012220688.tif 000010
【図９】
2012220688.tif 000011